(57)【要約】【課題】皮革とデニム生地とを組み合わせた縫製手袋を得る。【解決手段】  縫製手袋１は、掌側パーツ及び甲側パーツ１０を含む複数のパーツが縫合されている。掌側パーツは皮革で構成されている一方、甲側パーツ１０は、デニム生地１０ａと、デニム生地１０ａの裏面に塗布されてなる解れ止め用糊層１０ｂと、解れ止め用糊層１０ｂを介してデニム生地１０ａの裏面に貼り合わせられた解れ止め用生地１０ｃとを含む積層構造で構成されている。甲側パーツ１０は、デニム生地１０ａの表面を外側にして前記掌側パーツと縫合される。【選択図】図３
2020143383.tif 000002
【特許請求の範囲】
【請求項１】
掌側パーツ及び甲側パーツを含む複数のパーツが縫合されてなる縫製手袋において、
前記掌側パーツは皮革で構成され、
前記甲側パーツは、デニム生地と、前記デニム生地の裏面に塗布されてなる解れ止め用糊層と、前記解れ止め用糊層を介して前記デニム生地の裏面に貼り合わせられた解れ止め用生地とを含む積層構造で構成され、
前記甲側パーツが、前記デニム生地の表面を外側にして前記掌側パーツと縫合されていることを特徴とする、縫製手袋。
【請求項２】
前記複数のパーツには親指パーツが含まれ、
前記親指パーツは、掌側及び甲側のサブパーツを含んでおり、
掌側のサブパーツは皮革で構成され、
甲側のサブパーツは、デニム生地と、前記デニム生地の裏面に塗布されてなる解れ止め用糊層と、前記解れ止め用糊層を介して前記デニム生地の裏面に貼り合わせられた解れ止め用生地とを含む積層構造で構成され、
前記甲側のサブパーツが、前記デニム生地の表面を外側にして前記掌側のサブパーツと縫合されている、
請求項１に記載の縫製手袋。
【請求項３】
前記複数のパーツには手首パーツが含まれ、
前記手首パーツは、デニム生地と、前記デニム生地の裏面に塗布されてなる解れ止め用糊層と、前記解れ止め用糊層を介して前記デニム生地の裏面に貼り合わせられた解れ止め用生地とを含む積層構造で構成され、
前記手首パーツが、前記デニム生地の表面を外側にして前記掌側パーツ及び前記甲側パーツと縫合されている、
請求項１又は２に記載の縫製手袋。
【請求項４】
前記解れ止め用糊層は、前記デニム生地の裏面の全面に塗布されてなり、
前記解れ止め用生地は、前記デニム生地の裏面の全面に貼り合わせられる、
請求項１乃至３の何れかに記載の縫製手袋。
【発明の詳細な説明】
【技術分野】
【０００１】
本発明は、複数のパーツが縫合されてなる縫製手袋に関する。
【背景技術】
【０００２】
特許文献１には、皮革からなる第１の基布と、伸縮性を有する布材からなる第２の基布とを有し、第１の基布が掌側部分を形成し、第２の基布が甲側部分を形成する縫製手袋が開示されている。この縫製手袋の場合、掌側は皮革で構成されているために強度性に優れており、また、甲側は伸縮性を有しているため指の折り曲げが容易になるなど機能性にも優れている。
【先行技術文献】
【特許文献】
【０００３】
【特許文献１】特開２００７−３０８８３４号公報
【発明の概要】
【発明が解決しようとする課題】
【０００４】
上述したように異素材のパーツを組み合わせた場合、それぞれの素材の特性を有する手袋を実現することができる。しかしながら、その組み合わせによっては、縫い目が解れやすいなどの問題が生じる。特に、ファッション性などの観点から近年人気が高いデニム生地を用いようとすると、解れが著しく、高い耐久性を得ることはできない。デニム生地のパンツなどでは、縫い合わせる生地の端部を相互に巻き込んで縫う巻き伏せ縫いを行うことによって解れを防止することもできるが、手袋の場合に巻き伏せ縫いを用いると、厚みが大きくなりすぎるため、指の折り曲げが困難になるなどの問題が生じる。
【０００５】
本発明は、かかる事情に鑑みてなされたものであり、上述した課題を解決することができる縫製手袋を提供することを目的とする。
【課題を解決するための手段】
【０００６】
上記課題を解決するため、本発明の一の態様の縫製手袋は、掌側パーツ及び甲側パーツを含む複数のパーツが縫合されてなる縫製手袋において、前記掌側パーツは皮革で構成され、前記甲側パーツは、デニム生地と、前記デニム生地の裏面に塗布されてなる解れ止め用糊層と、前記解れ止め用糊層を介して前記デニム生地の裏面に貼り合わせられた解れ止め用生地とを含む積層構造で構成され、前記甲側パーツが、前記デニム生地の表面を外側にして前記掌側パーツと縫合されていることを特徴とする。
【０００７】
上記態様において、前記複数のパーツには親指パーツが含まれ、前記親指パーツは、掌側及び甲側のサブパーツを含んでおり、掌側のサブパーツは皮革で構成され、甲側のサブパーツは、デニム生地と、前記デニム生地の裏面に塗布されてなる解れ止め用糊層と、前記解れ止め用糊層を介して前記デニム生地の裏面に貼り合わせられた解れ止め用生地とを含む積層構造で構成され、前記甲側のサブパーツが、前記デニム生地の表面を外側にして前記掌側のサブパーツと縫合されていてもよい。
【０００８】
また、上記態様において、前記複数のパーツには手首パーツが含まれ、前記手首パーツは、デニム生地と、前記デニム生地の裏面に塗布されてなる解れ止め用糊層と、前記解れ止め用糊層を介して前記デニム生地の裏面に貼り合わせられた解れ止め用生地とを含む積層構造で構成され、前記手首パーツが、前記デニム生地の表面を外側にして前記掌側パーツ及び前記甲側パーツと縫合されていてもよい。
【０００９】
さらに、上記態様において、前記解れ止め用糊層は、前記デニム生地の裏面の全面に塗布されてなり、前記解れ止め用生地は、前記デニム生地の裏面の全面に貼り合わせられてもよい。
【発明の効果】
【００１０】
本発明によれば、デニム生地の解れを抑制することができる。
【図面の簡単な説明】
【００１１】
【図１】実施の形態の縫製手袋を甲側からみたときの平面図。
【図２】実施の形態の縫製手袋を構成する甲側パーツの概略構成図。
【図３】甲側パーツの構成を示す断面図。
【図４】実施の形態の縫製手袋を構成する親指サブパーツの概略構成図。
【図５】実施の形態の縫製手袋を構成する掌側サブパーツの概略構成図。
【図６】実施の形態の縫製手袋を構成する掌側サブパーツの概略構成図。
【図７】実施の形態の縫製手袋を構成する親指サブパーツの概略構成図。
【発明を実施するための形態】
【００１２】
以下、本発明の好ましい実施の形態を、図面を参照しながら説明する。なお、以下に示す各実施の形態は、本発明の技術的思想を具体化するための方法及び装置を例示するものであって、本発明の技術的思想は下記のものに限定されるわけではない。本発明の技術的思想は、特許請求の範囲に記載された技術的範囲内において種々の変更を加えることができる。
【００１３】
なお、本実施の形態では、所謂ガンカット型の縫製手袋について例示するが、本発明はこれに限定されるわけではなく、他の型の縫製手袋であってもよい。
【００１４】
［縫製手袋の構成］
図１は、実施の形態の縫製手袋を甲側からみたときの平面図である。図１に示すように、縫製手袋１は、甲側パーツ１０、親指の甲側に相当する親指サブパーツ２０、掌側パーツ３０、親指の掌側に相当する親指サブパーツ４０、及び手首パーツ５０を備えている。手首パーツ５０は、面ファスナーで着脱するベルト５１を備えている。これらの各パーツのうち、甲側パーツ１０、親指サブパーツ２０、及び手首パーツ５０は、デニム生地を含む積層構造で構成されており、掌側パーツ３０及び親指サブパーツ４０は皮革（天然皮革、合成皮革、及び人工皮革を含む）で構成されている。
【００１５】
［甲側部分の構成］
図２は甲側パーツ１０の概略構成図である。図２に示すように、甲側パーツ１０は、人差し指の甲側を収容する甲側人差し指部分１１、中指の甲側を収容する甲側中指部分１２、薬指の甲側を収容する甲側薬指部分１３、及び小指の甲側を収容する甲側小指部分１４を有している。
【００１６】
図３は、甲側パーツ１０の構成を示す断面図である。図３に示すように、甲側パーツ１０は、デニム生地１０ａと、解れ止め用糊層１０ｂと、解れ止め用生地１０ｃとが積層されてなる三層の積層構造で構成されている。
【００１７】
解れ止め用糊層１０ｂは、ホットメルト接着剤によって構成され、デニム生地１０ａの裏面の全面に塗布されてなるものである。ホットメルト接着剤としては、ポリエステル系樹脂、ポリウレタン系樹脂、及びポリアミド系樹脂などを主成分とするものを用いることができる。但し、ホットメルト接着剤に限定されるわけではなく、他の接着剤によって解れ止め用糊層１０ｂを構成することも可能である。
【００１８】
解れ止め用生地１０ｃは、化学繊維または天然繊維からなるメリヤス生地で構成されている。但し、これに限定されず、解れ止め用生地１０ｃを織物生地で構成することも可能である。なお、指の折り曲げを容易にするために、解れ止め用生地１０ｃはデニム生地１０ａよりも柔軟であることが好ましい。
【００１９】
上記の積層構造は次のようにして製造される。まず、デニム生地１０ａの裏面の全面にホットメルト接着剤が塗布される。これにより、デニム生地１０ａの裏面側に、解れ止め用糊層１０ｂが形成される。次に、その解れ止め用糊層１０ｂ側に解れ止め用生地１０ｃが配設された後、乾燥機を用いて、デニム生地１０ａの裏面の全面に解れ止め用生地１０ｃが貼り合わせられる。なお、乾燥機ではなく、プレスアイロンを用いても構わない。その場合、デニム生地１０ａと解れ止め用生地１０ｃをより強固に貼着させることができる。
【００２０】
図４は、親指サブパーツ２０の概略構成図である。上述したように、親指サブパーツ２０もデニム生地を含む積層構造で構成されている。具体的には、図３に示す積層構造と同一の積層構造で構成されている。また、手首パーツ５０も同様にして図３に示す積層構造と同一の積層構造で構成されている。
【００２１】
［掌側部分の構成］
掌側パーツ３０は、人差し指及び小指の掌側を収容する部分を有する掌側サブパーツ３０ａと、中指及び薬指の掌側を収容する部分を有する掌側サブパーツ３０ｂとで構成されている。上述したように、これらの掌側サブパーツ３０ａ及び３０ｂは、皮革で構成されている。
【００２２】
図５は掌側サブパーツ３０ａの概略構成図、図６は掌側サブパーツ３０ｂの概略構成図である。図３に示すように、掌側サブパーツ３０ａは、人差し指の掌側を収容する掌側人差し指部分３１及び小指の掌側を収容する掌側小指部分３２を有している。なお、掌側人差し指部分３１及び掌側小指部分３２の下端部にある符号３３は、切り込みを示している。また、符号３４は、親指サブパーツ４０を縫い付けるための部位を示している。
【００２３】
また、図６に示すように、掌側サブパーツ３０ｂは、中指の掌側を収容する掌側中指部分３５及び薬指の掌側を収容する掌側薬指部分３６を有している。なお、掌側中指部分３５と掌側薬指部分３６との間の符号３７は、切り込みを示している。
【００２４】
図７は、親指サブパーツ４０の概略構成図である。上述したように、親指サブパーツ４０は、掌側パーツ３０と同様に皮革で構成されている。
【００２５】
［各パーツの縫合］
上記の各パーツが相互に縫合されることによって縫製手袋１が得られる。より具体的には、掌側サブパーツ３０ａ及び３０ｂの端縁同士が縫い合わせられることにより掌側パーツ３０が得られ、その後、その掌側パーツ３０及び甲側パーツ１０の端縁同士が縫い合わせられる。このとき、甲側パーツ１０は、デニム生地１０ａの表面を外側にして掌側パーツ３０と縫い合わせられる。
【００２６】
また、親指サブパーツ２０及び親指サブパーツ４０の端縁同士が縫い合わせられることにより親指部分が得られる。このとき、親指サブパーツ２０は、デニム生地１０ａの表面を外側にして親指サブパーツ４０と縫い合わせられる。
【００２７】
上記のようにして縫合された甲側パーツ１０及び掌側パーツ３０、並びに親指部分の端縁同士が縫い合わせられ、さらに、手首パーツ５０が、甲側パーツ１０、掌側パーツ３０、及び親指部分の手具備側の端縁に沿って縫い合わせられることによって、縫製手袋１が得られる。なお、手首パーツ５０は、デニム生地１０ａの表面を外側にして縫い合わせられる。
【００２８】
縫製手袋１において、掌側部分に相当する掌パーツ３０及び親指サブパーツ４０は皮革で構成されているため、十分な強度を確保している。他方、甲側部分に相当する甲側パーツ１０及び親指サブパーツ２０はデニム生地を含んで構成されており、ファッション性に優れるのみではなく、指を折り曲げやすいなどの機能性にも優れている。
【００２９】
上述したように、甲側パーツ１０、親指サブパーツ２０、及び手首パーツ５０を構成するデニム生地１０ａと解れ止め用生地１０ｃとが、解れ止め用糊層１０ｂを介して貼り合わせられている。解れ止め用糊層１０ｂは、デニム生地１０ａの裏面の全面に塗布されて形成されるため、解れ止め用生地１０ｃはデニム生地１０ａの裏面の全面に貼着されることになる。
【００３０】
解れ止め用糊層１０ｂが固化することによって、デニム生地１０ａの裏面側に位置する繊維が互いに固着される。これにより、デニム生地１０ａの解れが抑制される。また、解れ止め用生地１０ｃが貼り合わせられることによって、その固着が強化される。その結果、デニム生地１０ａの解れがより一層抑制されることになる。そのため、巻き伏せ縫いなどを行わなくても、デニム生地１０ａの解れを防止することができる。
【００３１】
（その他の実施の形態）
上記の実施の形態では、解れ止め用糊層１０ｂがデニム生地１０ａの裏面の全面に形成されているが、その裏面の一部分にのみ形成されるようにしてもよい。例えば、デニム生地１０ａの裏面にホットメルト接着剤を霧状又はクモの巣状に塗布することによって、そのような解れ止め用糊層１０ｂを得ることができる。但し、より確実に解れを防止するためには、解れ止め用糊層１０ｂがデニム生地１０ａの裏面の全面に形成されることが好ましい。
【産業上の利用可能性】
【００３２】
本発明の縫製手袋は、作業用の縫製手袋などとして有用である。
【符号の説明】
【００３３】
１  縫製手袋
１０  甲側パーツ
１０ａ  デニム生地
１０ｂ  解れ止め用糊層
１０ｃ  解れ止め用生地
２０  親指サブパーツ
３０  掌側パーツ
３０ａ，３０ｂ  掌側サブパーツ
４０  親指サブパーツ
５０  手首パーツ
５１  ベルト
【図１】
2020143383.tif 000003
【図２】
2020143383.tif 000004
【図３】
2020143383.tif 000005
【図４】
2020143383.tif 000006
【図５】
2020143383.tif 000007
【図６】
2020143383.tif 000008
【図７】
2020143383.tif 000009